(57)【要約】【課題】加熱炉水冷柱のＴ字部分でも、無機繊維ブランケットの施工を容易にする。【解決手段】複数の無機繊維ブランケットからなる積層体により形成される、加熱炉水冷柱の断熱構造およびその施工方法において、各無機繊維ブランケットは、第1締め付け具を挟んで２つ折りにされ、且つ、積層体は、積層体の積層方向に貫通させた別の第２締め付け具によって一体化される。【選択図】図６
2005147420.tif 000002
【特許請求の範囲】
【請求項１】
複数の無機繊維ブランケットからなる積層体により形成された、加熱炉水冷柱の断熱構造において、各無機繊維ブランケットは、第1締め付け具を挟んで２つ折りにされており、且つ、積層体は、積層方向に貫通させた別の第２締め付け具によって一体化されていることを特徴とする断熱構造。
【請求項２】
無機繊維ブランケットの積層体を加熱炉水冷柱に施工する方法において、第１締め付け具を挟んで２つ折りにした複数の無機繊維ブランケットからなる積層体を、積層方向に貫通された別の第２締め付け具で一体化し、第２締め付け具を加熱炉水冷柱に締め付けて、積層体を加熱炉水冷柱に施工することを特徴とする無機繊維ブランケットの施工方法。
【発明の詳細な説明】
【技術分野】
【０００１】
本発明は、加熱炉水冷柱の断熱構造及び加熱炉水冷柱への無機繊維ブランケットの施工方法に関するものであり、特に、加熱炉水冷柱のＴ字部分に適した断熱構造及び無機繊維ブランケットの施工方法に関するものである。
【背景技術】
【０００２】
鋼材などの金属材料を熱間で圧延するための加熱炉として、材料自走式のウォーキングビーム式加熱炉が採用されている。ウォーキングビーム式加熱炉では、圧延加工される鋼材は、レールの形状をしたスキッド支持ビームに設置されたスキッドボタンによって支持されながら炉内を移動する。また、このレールの形状をしたスキッド支持ビームは、その支柱となるスキッドポストで支持されている。
【０００３】
スキッド支持ビームおよびスキッドポスト（以下、加熱炉水冷柱と記す）は、高温に曝される。そこで、加熱炉水冷柱を熱から保護するために、その内部に冷却水を流し、且つ、その外周を断熱材で覆う必要がある。
【０００４】
従来、この加熱炉水冷柱には、断熱レンガまたは不定形のキャスタブル等を断熱材として使用し、場合によって、前記断熱レンガまたは不定形耐火物等の内側または外側に無機繊維質の断熱材を一部併用していた。
【０００５】
しかしながら、断熱レンガ等を主体とした断熱材では、加熱炉水冷柱の断熱が不十分であり、また、その施工が煩雑であった。
【０００６】
一方、無機繊維質の断熱材は、前記断熱レンガや不定形耐火物等に比べ、軽量で加工しやすく、且つ断熱性に優れている。このため、省エネルギーや施工の容易さという観点からは、無機繊維質材料を主体とした断熱方法が好適である。
【０００７】
このような理由から、例えば、特許文献１には、無機繊維ブランケットを主体とした加熱炉水冷柱の断熱構造が開示されている。特許文献１に記載の断熱構造においては、図１、図２に示すように、締め付け具２を挟んで２つ折りして積層体とした無機繊維ブランケット１が、加熱炉水冷柱（スキッド支持ビームとスキッドポスト）に巻回されている。
【特許文献１】実公昭５６−５２２７１号
【発明の開示】
【発明が解決しようとする課題】
【０００８】
特許文献１に記載の断熱構造では、加熱炉水冷柱のＴ字部分（スキッド支持ビームとスキッドポストの交差部分）への施工が困難であり、この部分に関しては、無機繊維ブランケットの施工を諦め、不定形耐火物等を断熱材として施工せざるを得なかった。
【０００９】
しかしながら、この方法では、操炉時間が経過するにしたがって、前記水冷柱のＴ字部分に施工した不定形耐火物と、それ以外の部分に施工した無機繊維ブランケットとの熱膨張の違いによって、不定形耐火物と無機繊維ブランケットとの接触面との目地開きが生じるという問題があった。
【００１０】
このような目地開きは、不定形耐火物の加熱炉水冷柱からの剥落の原因となる。不定形耐火物が剥落すると、加熱炉水冷柱の熱的な損傷が著しくなるだけでなく、加熱炉水冷柱の冷却によるエネルギー損失が増加してしまう。
【００１１】
以上のような理由から、加熱炉水冷柱のＴ字部分の断熱材をも無機繊維ブランケットとすることが望ましい。加熱炉水冷柱のＴ字部分の断熱材をも無機繊維ブランケットとすることができれば、上記のような加熱炉水冷柱Ｔ字部分の断熱材の目地開き及びそれに伴う問題点は解消されるのである。
【００１２】
本発明の目的は、加熱炉水冷柱のＴ字部分でも、無機繊維ブランケットの施工を容易にすることである。
【課題を解決するための手段】
【００１３】
上記問題点に鑑み、本願発明者らは、鋭意検討を重ねた結果、第１締め付け具を挟んで２つ折りにした無機繊維ブランケットを数多く積層して積層体をつくり、次いで、そのように２つ折りにした複数の無機繊維ブランケットの積層方向に別の第２締め付け具を貫通させて、２つ折りにした複数の無機繊維ブランケットからなる積層体を一体化する。そのような積層体を作製する際に、２つ折りにした複数の無機繊維ブランケットからなる積層体の積層方向に貫通させた第２締め付け具を、加熱炉水冷柱のＴ字部分に締め付けると、これまで施工が困難であるとされてきた加熱炉水冷柱のＴ字部分であっても、無機繊維ブランケットを容易かつ確実に施工することが可能となる。
【００１４】
本発明の解決手段を例示すると、次のとおりである。
【００１５】
（１）複数の無機繊維ブランケットからなる積層体により形成された、加熱炉水冷柱の断熱構造において、各無機繊維ブランケットは、第1締め付け具を挟んで２つ折りにされており、且つ、積層体は、積層方向に貫通させた別の第２締め付け具によって一体化されていることを特徴とする断熱構造。
【００１６】
（２）無機繊維ブランケットの積層体を加熱炉水冷柱に施工する方法において、第１締め付け具を挟んで２つ折りにした複数の無機繊維ブランケットからなる積層体を、積層方向に貫通された別の第２締め付け具で一体化し、第２締め付け具を加熱炉水冷柱に締め付けて、積層体を加熱炉水冷柱に施工することを特徴とする無機繊維ブランケットの施工方法。
【発明の効果】
【００１７】
本発明によれば、加熱炉水冷柱のＴ字部分のように、従来では無機繊維ブランケットの施工が困難であった箇所においても、無機繊維ブランケットの施工が容易となる。したがって、加熱炉水冷柱の断熱材すべてを、断熱性に優れている無機繊維ブランケットとすることができる。そのため、加熱炉水冷柱の断熱材が剥落することなく、水冷柱の熱的な劣化を大幅に低減することが可能となる。
【発明を実施するための最良の形態】
【００１８】
本発明の好ましい実施の形態によれば、加熱炉水冷柱の断熱構造となる無機繊維ブランケット積層体は、図１、図３および図４に示すように、２つ折りされている無機繊維ブランケット１、第１締め付け具２および第２締め付け具３とから構成される。各無機繊維ブランケット１は、第１締め付け具２を挟んで２つ折りされている。この第１締め付け具２が挟まれて２つ折りにされている無機繊維ブランケット１が数多く積層され、無機繊維ブランケット１の積層方向に貫通された別の第２締め付け具３で締めつけられて一体化され、積層体４が形成されている。
【００１９】
ウォーキングビーム式加熱炉では、圧延加工される鋼材は、図６に示すように、レールの形状をしたスキッド支持ビーム５の上に設置されたスキッドボタン（図示せず）によって支持されながら炉内を移動する。また、このレールの形状をしたスキッド支持ビーム５は、その支柱となるスキッドポスト６で支持されている。このようなスキッド支持ビーム５およびスキッドポスト６からなる加熱炉水冷柱は、高温に曝される。そこで、加熱炉水冷柱を熱から保護するために、その内部に冷却水を流し、且つ、その外周を断熱材で覆う必要がある。
【００２０】
本発明の断熱構造体となる無機繊維ブランケット積層体は、図５および図６に示すように、加熱炉水冷柱のＴ字部分８に施工される。
【００２１】
図１に示す２つ折りされた各無機繊維ブランケットの縁部１０が、図５に示すように加熱炉水冷柱に接触する側になるように施工される。このとき、第１締め付け具２が挟まれて２つ折りにされている無機繊維ブランケット１の積層方向に貫通されている第２締め付け具３は、図３及び図５に示すように、無機繊維ブランケット１に挟まれている第１締め付け具２よりも外側の近傍の位置に貫通されていることが好ましい。このようにすると、第２締め付け具３を水冷柱に締め付ける際に、個々の無機繊維ブランケット１を、無機繊維ブランケット１に挟まれた第１締め付け具２を介して、加熱炉水冷柱に強固に施工することが可能となる。
【００２２】
また、２つ折りされている無機繊維ブランケット１の枚数は、特に限定されず、施工する位置の大きさに応じた枚数とすることができる。
【実施例】
【００２３】
図１と、図３〜１２は、本発明の一実施例を示す。
【００２４】
無機繊維ブランケット１は第１締め付け具２を挟んで２つ折りされている（図１）。この第１締め付け具２を挟んで２つ折りされた無機繊維ブランケット１を数多く積層し、次いで、積層方向に別の第２締め付け具３を貫通させて、積層した無機繊維ブランケット１を一体化し、積層体４を得る（図７）。
【００２５】
積層体４の第２締め付け具３を加熱炉水冷柱のＴ字部分８で締め付けることにより、無機繊維ブランケット１の積層体４が、加熱炉水冷柱のＴ字部分８に施工される（図５および図６）。このとき、第１締め付け具２が挟まれて２つ折りにされている無機繊維ブランケット１の積層方向に貫通されている第２締め付け具３は、図３及び図５に示すように、無機繊維ブランケットに挟まれている第１締め付け具２よりも外側の近傍の位置に貫通されていることが好ましい。このようにすると、第２締め付け具３を水冷柱に締め付ける際に、個々の無機繊維ブランケット１を、無機繊維ブランケット１に挟まれた第１締め付け具２を介して、加熱炉水冷柱に強固に施工することが可能となる。
【００２６】
図６に示されているように、通例、加熱炉水冷柱の水平部分（スキッド支持ビームのところ）は、Ｔ字部分８を含めて、積層体４の上側が開放状態になっており、あとから、そこに無機繊維（図示せず）が吹き付けられる。
【００２７】
なお、多数の無機繊維ブランケット１からなる積層体４は、図８に示すように、第１締め付け具２を挟んで２つ折りされた各無機繊維ブランケット１を、順次、第２締め付け具３に貫通させることによって作製し、一体化しても良い。
【００２８】
また、本発明の第１および第２締め付け具２および３としては、金属製のワイヤー等を好ましく使用することができるが、本発明の締め付け具として機能すれば、そのようなものに特に限定はされない。例えば、本発明の無機繊維ブランケット積層体と加熱炉水冷柱との密着性を高めるために、そして、無機繊維ブランケット積層体の炉内側表面を保護するために、その表面にモルタル等を被覆しても良いが、この場合には、第１および第２締め付け具２および３は、金属等の無機質のものでなく、例えば、有機質のものであっても使用することができる。施工時に、変形することなく無機繊維ブランケット１を締め付けることができれば、施工後に、仮に温度上昇によって締め付け具が炭化してその強度が低下しても、被覆したモルタルによって無機繊維ブランケットは保持されるので、第１および第２締め付け具２および３は有機質であっても使用可能である。
【００２９】
図９〜１０は、本発明の好適な１つの施工方法の途中経過を示す図面代用写真である。
【００３０】
図１１は、本発明の好適な施工方法により施工された別のＴ字部分を示す図面代用写真である。
【００３１】
図１２は、本発明の好適な施工方法により施工されたさらに別のＬ字部分を示す図面代用写真である。
【図面の簡単な説明】
【００３２】
【図１】第１締め付け具を挟んで２つ折りされた無機繊維ブランケットを示す斜視図である。
【図２】第１締め付け具を挟んで２つ折りされた無機繊維ブランケットの従来の施工方法を示す断面図である。
【図３】無機繊維ブランケットと第１および第２締め付け具からなる本発明の断熱構造を示す断面図である。
【図４】無機繊維ブランケットと第１および第２締め付け具からなる本発明の断熱構造を示す一部切断斜視図である。
【図５】加熱炉水冷柱のＴ字部分に施工された本発明の断熱構造を示す断面図である。
【図６】加熱炉水冷柱のＴ字部分に施工された本発明の断熱構造を示す一部切断斜視図である。
【図７】本発明の断熱構造を構成する無機繊維ブランケット積層体の作製方法の一例を示す図である。
【図８】本発明の断熱構造を構成する無機繊維ブランケット積層体の作製方法の別の例を示す図である。
【図９】本発明の好適な１つの施工方法の途中経過を示す図面代用写真である。
【図１０】本発明の好適な１つの施工方法の途中経過を示す図面代用写真である。
【図１１】本発明の好適な施工方法により施工された別のＴ字部分を示す図面代用写真である。
【図１２】本発明の好適な施工方法により施工されたさらに別のＬ字部分を示す図面代用写真である。
【符号の説明】
【００３３】
１  無機繊維ブランケット
２  無機繊維ブランケットに挟まれる第１締め付け具
３  無機繊維ブランケットに貫通される第２締め付け具
４  無機繊維ブランケットの積層体
５  スキッド支持ビーム
６  スキッドポスト
８  加熱炉水冷柱のＴ字部分（スキッド支持ビームとスキッドポストの交差部分）
９  加熱炉水冷柱
１０  無機繊維ブランケットの縁部
【図１】
2005147420.tif 000003
【図２】
2005147420.tif 000004
【図３】
2005147420.tif 000005
【図４】
2005147420.tif 000006
【図５】
2005147420.tif 000007
【図６】
2005147420.tif 000008
【図７】
2005147420.tif 000009
【図８】
2005147420.tif 000010
【図９】
2005147420.tif 000011
【図１０】
2005147420.tif 000012
【図１１】
2005147420.tif 000013
【図１２】
2005147420.tif 000014